(57)【要約】【課題】磁場の強さに斑がなく均一に高磁場を形成でき、また磁石の磁極の向きに関係なく流体を活性化させることができ、磁石の向きを確認しながら組み立てる必要がなく組立作業性に優れ、また磁石の方向違いに起因する不良品の発生が一切無く高い製品得率で生産でき、さらに専用の特殊工具がなくても、極めて容易に磁石を取り出すことができ１本ずつの磁石を拭って付着した錆や汚れを除去することができメンテナンス性に優れる活性水用磁場形成具を提供することを目的とする。【解決手段】貫通孔内に流体の流路を形成する活性水用磁場形成具であって、貫通孔の内壁と所定の間隔をあけて配設され内壁と側面３との間に流体流路が形成される棒状の磁石２と、磁石２の端部に固着され貫通孔の内側に嵌挿されるガイド部材５と、ガイド部材５に形成され流体流路と連通する連通部８と、を備える。【選択図】図１
2008272685.tif 000002
【特許請求の範囲】
【請求項１】
貫通孔内に流体の流路を形成する活性水用磁場形成具であって、
前記貫通孔の内壁と所定の間隔をあけて配設され前記内壁と側面との間に流体流路が形成される棒状の磁石と、前記磁石の一端部又は両端部に固着され前記貫通孔の内側に嵌挿されるガイド部材と、前記ガイド部材に形成され前記流体流路と連通する連通部と、を備えていることを特徴とする活性水用磁場形成具。
【請求項２】
前記ガイド部材が、前記磁石に向かって縮径した傾斜部を備えていることを特徴とする請求項１に記載の活性水用磁場形成具。
【請求項３】
前記ガイド部材が非磁性の材料で形成されていることを特徴とする請求項１又は２に記載の活性水用磁場形成具。
【請求項４】
一乃至複数の貫通孔が形成された筐体と、前記筐体の前記貫通孔に内挿された請求項１乃至３の内いずれか１に記載の活性水用磁場形成具と、を備えていることを特徴とする流体処理装置。
【請求項５】
前記筐体が、磁性材料で形成されていることを特徴とする請求項４に記載の流体処理装置。
【請求項６】
配管の途中に配設され前記筐体が着脱自在に収装される処理室を備えていることを特徴とする請求項４又は５に記載の流体処理装置。
【発明の詳細な説明】
【技術分野】
【０００１】
本発明は、流体を磁界の中に通過させて流体を活性化処理するための活性水用磁場形成具及びそれを用いた流体処理装置に関するものである。
【背景技術】
【０００２】
従来より、配管内に棒状の永久磁石を配置し、配管内を流れる流体を磁気的に処理する流体処理装置が用いられている。
このような流体処理装置における従来の技術としては、（特許文献１）に「所定の間隔をあけて対向する磁石の側面を相互に異なる磁極にして配置し、対向する磁石の側面の間（通水経路）に流れる水を磁気的に処理して活性化させる水活性装置」が開示されている。
【特許文献１】特開平２００１−３４０８６７号公報
【発明の開示】
【発明が解決しようとする課題】
【０００３】
しかしながら上記従来の技術においては、以下のような課題を有していた。
（１）異なる磁極で対向する磁石の間（通水経路）を流れた水は磁気により活性化されるが、特許文献１の段落００１９欄に記載されているように、同極の磁極を対向させたところを流れた水は活性化されないため、装置の組立時には定められた向きに磁石を配置しなければならない。しかし、磁石の向きを確認しながら組み立てるのは煩雑であり、また磁石の磁極は目に見えないため、作業者が気付かずに磁石の向きを間違えて組み立ててしまうことがあり、同極の磁極を対向させたところを流れた水は活性化されないので、気付かないまま活性化効率の低い装置が製造されてしまうことがあるという課題を有していた。
（２）流体の流れと直交する方向における通水経路の断面を考えると、磁石から遠ざかるにつれ磁力が弱くなり磁場の強さに斑が生ずるため、磁気による水の活性度も斑が生ずるという課題を有していた。このため、水活性装置を一度だけ通過する一過水を活性化する場合には、水の活性度が低下することがあるという課題を有していた。
（３）複数の磁石を格子点上に配置する場合は、特許文献１の段落００１９欄に記載されているように、対角上に同極の磁極が位置するため、対角上の磁石間を流れる水は活性化されないので、同極となる磁石間に通水制限部材を設ける必要があり煩雑化するという課題を有していた。
（４）磁石間を流れた水が磁気的に処理されるので、２本以上の磁石が必要になり、２本以上の磁石を保持するハウジングの径が大きくなるため、１本だけの磁石を用いた小径の水処理装置を製造できないという課題を有していた。
（５）磁石の磁力が強いほど流体の活性化処理効率が上がるため、希土類コバルト磁石等の強力な磁石を用いるのが好ましいが、磁石が強力になればなるほど水処理装置を組み立てるため磁石を固定板（２３）で固定しようとする際に、強力な磁石が相互に牽引したり反発したりするため、固定板（２３）に磁石を収めることが困難になり作業性に著しく欠けるという課題を有していた。また、固定板（２３）に磁石を収めるときに、牽引された磁石の間に手指を挟み怪我をすることもあるという課題を有していた。
（６）水活性装置に水を流通すると磁石に錆や汚れが付着するため、装置を分解して磁石を取り出し、磁石に付着した錆や汚れを除去するメンテナンスを定期的に行う必要がある。しかし、磁石は２枚の固定板（２３）の間にボルト（２１１）で固定されているため、固定板（２３）から磁石を取り外すのが煩雑であり、またボルト（２１１）を緩めて磁石を取り外すときに、牽引された磁石の間に手指を挟み怪我をすることもありメンテナンス性に欠けるという課題を有していた。
【０００４】
本発明は上記従来の課題を解決するもので、磁場の強さに斑がなく均一に高磁場を形成でき、また磁石の磁極の向きに関係なく流体を活性化させることができ、磁石の向きを確認しながら組み立てる必要がなく組立作業性に優れ、また磁石の方向違いに起因する不良品の発生が一切無く高い製品得率で生産でき、さらに専用の特殊工具がなくても、極めて容易に磁石を取り出すことができ１本ずつの磁石を拭って付着した錆や汚れを除去することができメンテナンス性に優れる活性水用磁場形成具を提供することを目的とする。
また、本発明は、磁石の方向違いに起因する不良品の発生が一切無く高い製品得率で生産でき、また磁石の挿脱が極めて容易で組立作業性やメンテナンス性に優れ、さらに許容流量を簡単に増やすことができ、大口径の配管等を流れる流体も活性化させることができる自在性に優れる流体処理装置を提供することを目的とする。
【課題を解決するための手段】
【０００５】
上記従来の課題を解決するために本発明の活性水用磁場形成具及びそれを用いた流体処理装置は、以下の構成を有している。
本発明の請求項１に記載の発明は、貫通孔内に流体の流路を形成する活性水用磁場形成具であって、前記貫通孔の内壁と所定の間隔をあけて配設され前記内壁と側面との間に流体流路が形成される棒状の磁石と、前記磁石の一端部又は両端部に固着され前記貫通孔の内側に嵌挿されるガイド部材と、前記ガイド部材に形成され前記流体流路と連通する連通部と、を備えた構成を有している。
この構成により、以下のような作用が得られる。
（１）貫通孔の内壁と所定の間隔をあけて配設される棒状の磁石と、磁石の一端部又は両端部に固着され貫通孔の内側に嵌挿されるガイド部材と、ガイド部材に形成された連通部と、を備えているので、水等の流体が連通部から貫通孔の内壁と磁石の側面との間に形成される流体流路に導入され、貫通孔毎に１本ずつ配置された磁石の磁力により流体流路に均一な高磁場が形成されるので、流体を確実に活性化させることができ安定性に優れる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる。
（３）貫通孔の内壁と所定の間隔をあけて配設される棒状の磁石と、磁石の一端部又は両端部に固着され貫通孔の内側に嵌挿されるガイド部材と、を備えているので、貫通孔内に磁石を配置する場合に、磁石に固着されたガイド部材を貫通孔の一方の開口部から挿入し反対側を手で押し込むことにより、磁石を貫通孔の内壁に磁着させることなくガイド部材をスライドさせて、貫通孔と所定の間隔をあけて磁石を挿入させることができ組立作業性に優れる。
（４）貫通孔から磁石を取り出す場合は、専用の特殊工具がなくても、貫通孔の一方の開口部から棒材を挿入して押し込むことにより、ガイド部材が固着された磁石をスライドさせて貫通孔から簡単に押し出すことができる。磁石を押し出した後は、磁石を１本ずつ拭って磁石に付着した錆や汚れを除去することができメンテナンス性に優れる。
【０００６】
ここで、貫通孔としては、水等の流体が流れる両端が開口した流路であれば、特に制限なく用いることができる。例えば、既設や新設の配管の流路、筐体に貫通させた流路等を挙げることができる。
貫通孔の材質としては、流体に腐食され難いインコネル，ステンレス鋼，鋳鋼等の金属製、合成樹脂製、無機材料等で形成されたものを用いることができる。鉄，低炭素鋼等の金属の内面をニッケル等でメッキ処理したものも用いることができる。
流体の流路方向と直交方向の貫通孔の断面形状としては、円形状や多角形状等の種々のものを用いることができる。
【０００７】
磁石としては、断面が略円形状や多角形状等の棒状に形成されたものが用いられる。磁石は、外径が貫通孔の内径より少し小さめに形成されたものが用いられる。貫通孔内に配置した磁石の側面と貫通孔の内壁との間に所定の間隔をあけ、この隙間を流体が流れる流体流路とするためである。
磁石の断面形状としては、円形状や多角形状等の種々のものを用いることができる。
【０００８】
ガイド部材としては、最大の外径が貫通孔の両端の開口部の内径よりわずかに小さめに形成されたものが用いられる。貫通孔の両端の開口部の内側に嵌挿させ、ガイド部材間に固着された磁石を貫通孔内に配置するためである。
ガイド部材の断面形状は特に限定する必要はなく、例えば、円形状、多角形状、星型状、放射状等に形成されたものを用いることができる。
ガイド部材の材質としては、流体に腐食され難いインコネル，ステンレス鋼，鋳鋼等の金属製、合成樹脂製、無機材料等で形成されたものを用いることができる。鉄，低炭素鋼等の金属の内面をニッケル等でメッキ処理したものも用いることができる。
ガイド部材と磁石の端部との固着手段としては、ガイド部材に形成された貫通孔にボルト等を挿通して磁石の端部に形成された螺子孔部と螺着する手段、ガイド部材に突設された雄螺子を磁石の端部に形成された螺子孔部と螺着する手段、ガイド部材を磁石の端部に嵌合させる手段等を用いることができる。
【０００９】
連通部としては、ガイド部材を貫通する孔部、ガイド部材の外縁と貫通孔の内壁との隙間等を挙げることができる。いずれも、磁石の側面と貫通孔の内壁との隙間（流体流路）と連通させることができるからである。
流体流路の断面積や隙間の大きさ、連通部の断面積や形状等は、貫通孔に導入される流体の流速等を考慮して適宜設計することができる。
【００１０】
本発明の請求項２に記載の発明は、請求項１に記載の活性水用磁場形成具であって、前記ガイド部材が、前記磁石に向かって縮径した傾斜部を備えた構成を有している。
この構成により、請求項１で得られる作用に加え、以下のような作用が得られる。
（１）磁石の一端側を貫通孔の一方の開口部から挿入し、磁石の他端側に固着されたガイド部材を手で押し込むことで貫通孔内に磁石を配置させることができるが、ガイド部材が磁石に向かって縮径した傾斜部を備えているので、ガイド部材を開口部に押し込むときに傾斜部が貫通孔の開口部の縁に摺接して案内するため、ガイド部材を開口部にスムーズに嵌挿させて磁石を貫通孔の内側に配置させることができる。
【００１１】
ここで、傾斜部としては、面状や線条等に形成されたものが用いられる。傾斜部の縁端が磁石の端部側の側面と当接しているもの、磁石の端部の縁と当接しているもの、磁石の端面と当接しているものを用いることができる。いずれも、貫通孔の開口部の縁に傾斜部が摺接して案内するので、ガイド部材をスムーズに貫通孔に挿入させることができる。
【００１２】
本発明の請求項３に記載の発明は、請求項１又は２に記載の活性水用磁場形成具であって、前記ガイド部材が非磁性の材料で形成された構成を有している。
この構成により、請求項１又は２で得られる作用に加え、以下のような作用が得られる。
（１）ガイド部材が非磁性の材料で形成されているので、ガイド部材を螺着等の機械的手段によって着脱自在にすることができ、メンテナンス時にはガイド部材も磁石から取り外して磁石に付着した錆や汚れを除去することができメンテナンス性に優れる。
（２）磁石に固着されたガイド部材が磁化されないため、貫通孔が磁性材料で形成されていた場合でも、磁石が固着されたガイド部材を貫通孔の開口部にスムーズに挿入させることができる。
【００１３】
ここで、ガイド部材の非磁性の材料としては、アルミニウム合金，銅合金，チタン合金，インコネル，ステンレス鋼，高マンガン鋼，合成樹脂，無機材料等が用いられる。
【００１４】
本発明の請求項４に記載の流体処理装置は、一乃至複数の貫通孔が形成された筐体と、前記筐体の前記貫通孔に内挿された請求項１乃至３の内いずれか１に記載の活性水用磁場形成具と、を備えた構成を有している。
この構成により、以下のような作用が得られる。
（１）貫通孔が形成された筐体と、貫通孔に内挿された活性水用磁場形成具と、を備えているので、水等の流体が貫通孔内に形成された流体流路に導入され、貫通孔毎に１本ずつ配置された磁石の磁力により流体を確実に活性化させることができ安定性に優れる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる。
（３）貫通孔内に導入された流体は、磁石の磁極の向きに関係なく、貫通孔毎に１本ずつ配置された磁石の磁力により活性化されるので、格子点上や細密状に複数の貫通孔を形成した場合でも、隣り合う貫通孔内に配置された磁石の極性とは無関係に活性化させることができる。このため、貫通孔の数を増加させるだけで許容流量を増やすことができ、大口径の配管等を流れる流体も圧損なく活性化させることができる。
（４）筐体に形成された貫通孔からの流体処理装置の挿脱が容易なため、組立作業性に優れるとともにメンテナンス性にも優れる。
【００１５】
ここで、筐体としては、流体に腐食され難いインコネル，ステンレス鋼，鋳鋼等の金属製、合成樹脂製、無機材料等で形成されたものを用いることができる。ブロック状等の筐体を穿孔して貫通孔を形成することができる。貫通孔を有する管体を筐体として利用することもできる。また、管体を複数本束ねて筐体とすることもできる。
筐体に貫通孔を複数形成する場合は、隣り合う貫通孔と適当な間隔をあけて貫通孔同士を略平行に形成するのが好ましい。筐体の体積に対する貫通孔の割合を増やし、流体の流量を確保するためである。
なお、
筐体は、水道水，工業水等の流体が流れる配管内に配置して流体を活性化処理することができる。一過水だけでなく、クーリングタワー等の循環水が流れる配管内に配置して、循環水を活性化することもできる。
【００１６】
本発明の請求項５に記載の発明は、請求項４に記載の流体処理装置であって、前記筐体が、磁性材料で形成された構成を有している。
この構成により、請求項４で得られる作用に加え、以下のような作用が得られる。
（１）筐体が磁性材料で形成されているので、筐体に形成された貫通孔の内壁が磁化され磁石の磁束密度を飛躍的に増加させ高磁場を形成することができ、流体の活性処理効率を高めることができる。
【００１７】
ここで、筐体の磁性材料は、鉄，低炭素鋼，ケイ素鋼，パーマロイ，センダスト，ＫＳ鋼，ＭＫ鋼，Ｆｅ−Ｃｏ合金，Ｃｕ−Ｎｉ−Ｆｅ合金，Ｆｅ−Ｃｒ−Ｃｏ合金等が用いられる。貫通孔の内表面をメッキ処理したものも用いることができる。筐体を磁性材料で形成した場合、ガイド部材は、非磁性の材料で形成されたものを用いる。磁石に固着されたガイド部材は磁化されないため、磁石が固着されたガイド部材を貫通孔の開口部にスムーズに挿入させることができるからである。
【００１８】
本発明の請求項６に記載の発明は、請求項４又は５に記載の流体処理装置であって、配管の途中に配設され前記筐体が着脱自在に収装される処理室を備えた構成を有している。
この構成により、請求項４又は５で得られる作用に加え、以下のような作用が得られる。
（１）配管の途中に配設される処理室に筐体が着脱自在に収装されているので、メンテナンス時には、処理室から筐体を処理室の外に取り出し、処理室から取り出した筐体から活性水用磁場形成具を簡単に取り出すことができる。これにより、磁石に付着した錆や汚れの洗浄や拭き取りも簡単に行うことができメンテナンス性に優れる。
【００１９】
ここで、処理室としては、チタン合金，インコネル，ステンレス鋼，高マンガン鋼，合成樹脂，無機材料、鉄等の金属の表面にメッキ膜を形成したもの等のように、軽量で腐食し難い材料で形成されたものが用いられる。
【発明の効果】
【００２０】
以上のように、本発明の活性水用磁場形成具及びそれを用いた流体処理装置によれば、以下のような有利な効果が得られる。
請求項１に記載の発明によれば、
（１）水等の流体が連通部から貫通孔の内壁と磁石の側面との間に形成される流体流路に導入され、貫通孔毎に１本ずつ配置された磁石の磁力により流体流路に均一な高磁場が形成されるので、流体を確実に活性化させることができ安定性に優れた活性水用磁場形成具を提供できる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる活性水用磁場形成具を提供できる。
（３）貫通孔内に磁石を配置する場合に、磁石に固着されたガイド部材を貫通孔の一方の開口部から挿入し反対側を手で押し込むことにより、磁石を貫通孔の内壁に磁着させることなくガイド部材をスライドさせて、貫通孔と所定の間隔をあけて磁石を挿入させることができ組立作業性に優れた活性水用磁場形成具を提供できる。
（４）貫通孔から磁石を取り出す場合は、専用の特殊工具がなくても、貫通孔の一方の開口部から棒材を挿入して押し込むことにより、ガイド部材が固着された磁石をスライドさせて貫通孔から簡単に押し出すことができ、磁石を押し出した後は、磁石を１本ずつ拭って磁石に付着した錆や汚れを除去することができメンテナンス性に優れた活性水用磁場形成具を提供できる。
【００２１】
請求項２に記載の発明によれば、請求項１の効果に加え、
（１）ガイド部材を貫通孔内に押し込んで磁石を配置させる場合、ガイド部材が磁石に向かって縮径した傾斜部を備えているので、ガイド部材を開口部に押し込むときに傾斜部が貫通孔の開口部の縁に摺接して案内するため、ガイド部材を開口部にスムーズに嵌挿させて磁石を貫通孔の内側に配置させることができる作業性に優れた活性水用磁場形成具を提供できる。
【００２２】
請求項３に記載の発明によれば、請求項１又は２の効果に加え、
（１）ガイド部材が非磁性の材料で形成されているので、ガイド部材を螺着等の機械的手段によって着脱自在にすることができ、メンテナンス時にはガイド部材も磁石から取り外して磁石に付着した錆や汚れを除去することができメンテナンス性に優れた活性水用磁場形成具を提供できる。
（２）磁石に固着されたガイド部材が磁化されないため、貫通孔が磁性材料で形成されていた場合でも、磁石が固着されたガイド部材を貫通孔の開口部にスムーズに挿入させることができる活性水用磁場形成具を提供できる。
【００２３】
請求項４に記載の発明によれば、
（１）貫通孔が形成された筐体と、貫通孔に内挿された活性水用磁場形成具と、を備えているので、水等の流体が貫通孔内に形成された流体流路に導入され、貫通孔毎に１本ずつ配置された磁石の磁力により流体を確実に活性化させることができ安定性に優れた流体処理装置を提供できる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる流体処理装置を提供できる。
（３）貫通孔内に導入された流体は、磁石の磁極の向きに関係なく、貫通孔毎に１本ずつ配置された磁石の磁力により活性化されるので、格子点上や細密状に複数の貫通孔を形成した場合でも、隣り合う貫通孔内に配置された磁石の極性とは無関係に活性化させることができる。このため、貫通孔の数を増加させるだけで許容流量を増やすことができ、大口径の配管等を流れる流体も活性化させることができる自在性に優れた流体処理装置を提供できる。
（４）筐体に形成された貫通孔からの流体処理装置の挿脱が容易なため、組立作業性に優れるとともにメンテナンス性にも優れた流体処理装置を提供できる。
【００２４】
請求項５に記載の発明によれば、請求項４の効果に加え、
（１）筐体が磁性材料で形成されているので、筐体に形成された貫通孔の内壁が磁化され磁石の磁束密度を飛躍的に増加させ高磁場を形成することができ、活性処理効率の高い流体処理装置を提供できる。
【００２５】
請求項６に記載の発明によれば、請求項４又は５の効果に加え、
（１）配管の途中に配設される処理室に筐体が着脱自在に収装されているので、メンテナンス時には、処理室から筐体を処理室の外に取り出し、処理室から取り出した筐体から活性水用磁場形成具を簡単に取り出すことができる。これにより、磁石に付着した錆や汚れの洗浄や拭き取りも簡単に行うことができメンテナンス性に優れた流体処理装置を提供できる。
【発明を実施するための最良の形態】
【００２６】
以下、本発明を実施するための最良の形態を、図面を参照しながら説明する。
（実施の形態１）
図１（ａ）は本発明の実施の形態１における活性水用磁場形成具の分解斜視図であり、（ｂ）は活性水用磁場形成具の斜視図であり、図２は活性水用磁場形成具の要部断面図である。
図１，図２において、１は本発明の実施の形態１における活性水用磁場形成具、２は希土類コバルト磁石等で丸棒状に形成された磁石、３は磁石２の側面、４は磁石２の端面、４ａは磁石２の端面４に形成された螺子孔部、５はアルミニウム合金，銅合金，チタン合金，インコネル，ステンレス鋼，高マンガン鋼，合成樹脂，無機材料等の非磁性の材料で形成され磁石２の両端部の端面４の各々に固着されるガイド部材、６は磁石２の外径と同一の外径に形成され磁石２の端面４に当接されるガイド部材の基部、７は基部６に向かって縮径した円環状に形成された傾斜部であり、傾斜部７の一方の縁端は磁石２の側面３の縁と当接される。８はガイド部材５の傾斜部７を貫通して複数形成された連通部、９は基部６の中心を貫通して形成された孔部、９ａは孔部９に挿通され磁石２の端面４に形成された螺子孔部４ａに螺着されて基部６を磁石２に押止する螺子部材である。
【００２７】
次に、流体処理装置について説明する。
図３は本発明の実施の形態１における流体処理装置の筐体の斜視図であり、図４は筐体に活性水用磁場形成具を収装した状態を示す斜視図であり、図５は流体処理装置の平面図であり、図６は図５のＡ−Ａ線における断面図であり、図７は図５のＢ−Ｂ線における断面図である。
図３乃至４において、１０は鉄，低炭素鋼，ケイ素鋼，パーマロイ，センダスト，ＫＳ鋼，ＭＫ鋼，Ｆｅ−Ｃｏ合金，Ｃｕ−Ｎｉ−Ｆｅ合金，Ｆｅ−Ｃｒ−Ｃｏ合金等の磁性材料で立方体状乃至直方体状に形成された筐体、１１は筐体１０を貫通して対向する２面に開口した貫通孔であり、本実施の形態においては、格子点上に位置する４つの貫通孔１１が適当な間隔をあけて略平行に形成されている。また、貫通孔１１の内径は、磁石２の外径より２〜１０ｍｍ程度大きめに形成されている。また、貫通孔１１の長さは、活性水用磁場形成具１と同一の長さに形成されている。１２は貫通孔１１の開口部、１３は筐体１０の上面の４隅に形成された螺子孔部である。本実施の形態においては、ガイド部材５の最大外径は傾斜部７の他方の縁端の外径であり、貫通孔１１の開口部１２の内径よりわずかに小さめに形成されている。これにより、ガイド部材５を貫通孔１１の開口部１２の内側に嵌挿させることができる。
【００２８】
図５において、２１は本発明の実施の形態１における流体処理装置、２２はチタン合金，インコネル，ステンレス鋼，高マンガン鋼，合成樹脂，無機材料の軽量で腐食の少ない材料で上面が開口した直方体の有底箱状に形成された流体処理装置２１の処理室、２３は処理室２２の上面に形成され使用時には図示しない蓋部が被着される処理室２２の開口部、２３ａは開口部２３の縁部に複数形成され図示しない蓋部が螺子で固定される螺子孔、２３ｂは筐体１０の上面に形成された螺子孔部１３に螺着したアイボルト等の吊設部材であり、活性水用磁場形成具１を収装した筐体１０は、吊設部材２３ｂを利用して懸吊することにより処理室２２に着脱自在に収装されている。２４は処理室２２の流路方向の両端の各々に連通した流体処理装置２１の連通管、２５は連通管２４の端部に配設された流体処理装置２１のフランジ、２６は水等の流体が流れる配管、２７は配管２６の端部に配設されてフランジ２５と連結された配管２６のフランジである。
【００２９】
図６，図７において、２８は処理室２２の底部、２９は処理室２２の底部２８に載置された筐体１０の開口部１２が形成された面の上端部と当接する当接部、３０は連通管２４が接続した処理室２２の筐体１０と連通管２４との間に中空状に形成された分配部であり、分配部３０の流路の断面積は連通管２４の流路の断面積より広く形成されている。これにより、連通管２４を流れる流体を分配部３０で減速させて分配し、平均的に各貫通孔１１に導入させることができる。３１は貫通孔１１の内壁と間隔をあけて配設された磁石２の側面３との間に形成された流体流路であり、連通管２４を流れてきた流体は分配部３０，連通部８を通って流体流路３１に導入され、他方の連通部８を通って他方の連通部２４に流れていく。
【００３０】
以上のように構成された本発明の実施の形態１における活性水用磁場形成具１を用いた流体処理装置２１について、以下その製造方法を説明する。
まず、磁石２の一方の端面４にガイド部材５の基部６を当接させ、螺子部材９ａを孔部９に挿通させ螺子孔部４ａに螺着させてガイド部材５の基部６を磁石２に押止し、磁石２の端部にガイド部材５を固着する。磁石２の他方の端面４にも、同様にしてガイド部材５を固着して、活性水用磁場形成具１を製造する。
次に、活性水用磁場形成具１の一方のガイド部材５を筐体１０に形成された貫通孔１１の一方の開口部１２から挿入した後、他方のガイド部材５を手で押し込んで、ガイド部材５を貫通孔１１内をスライドさせる。ガイド部材５の最大外径が磁石２の外径より大きいので、磁石２は貫通孔１１の内壁に磁力で引き寄せられることなく、貫通孔１１と所定の間隔を維持したままスムーズに押し込まれていく。他方のガイド部材５が開口部１２に達すると、傾斜部７が開口部１２の縁に摺接して案内されるため、他方のガイド部材５も開口部１２にスムーズに嵌挿される。こうして、磁石２を貫通孔１１の内側に貫通孔１１と同心状に極めて容易に配置させることができる。同様にして、全ての貫通孔１１に活性水用磁場形成具１を嵌挿する。
次に、活性水用磁場形成具１が収装された筐体１０を吊設部材２３ｂで懸吊することにより、両端にフランジ２５が接続された処理室２２内に収装する。図示しない蓋部を処理室２２の開口部２３に被着して、実施の形態１における流体処理装置２１を製造することができる。
なお、メンテナンス等を行う場合には、以上説明したものとは逆の手順によって流体処理装置２１を分解することができる。この場合、筐体１０の貫通孔１１から活性水用磁場形成具１を取り出すときは、合成樹脂製や木製等の棒材をガイド部材５の端面に押し当て貫通孔１１内に押し込むことで、極めて容易に活性水用磁場形成具１を取り出すことができる。
【００３１】
以上のように、本発明の実施の形態１における磁石保持部材１及びそれを用いた流体処理装置２１は構成されているので、以下のような作用が得られる。
（１）貫通孔１１の内壁と間隔をあけて配設される棒状の磁石２と、磁石２の端面４の各々に固着され貫通孔１１の両端の開口部１２の内側に嵌挿されるガイド部材５と、ガイド部材５に形成された連通部８と、を備えているので、水等の流体が連通部８から貫通孔１１の内壁と磁石２の側面３との間に形成される流体流路３１に導入され、貫通孔１１毎に１本ずつ配置された磁石２の磁力により流体流路３１に均一な高磁場が形成されるので、流体を確実に活性化させることができ安定性に優れる。
（２）磁石２の磁極の向きに関係なく、貫通孔１１毎に１本ずつ配置された磁石２の磁力により流体が活性化されるので、磁石２の向きを確認しながら組み立てる必要がなく組立作業性に優れ、また磁石２の磁極の配置方向違いに起因する不良品の発生は一切無いため、高い製品得率で生産できる。
（３）貫通孔１１内に磁石２を配置する場合に、一方のガイド部材５を貫通孔１１の一方の開口部１２から挿入し他方のガイド部材５を手で押し込むことにより、貫通孔１１の両端の開口部１２の内側にガイド部材５を嵌挿させて、ガイド部材５間に貫通孔１１と間隔をあけて磁石２を簡単に配置させることができ組立作業性に優れる。
（４）貫通孔１１から磁石２を取り出す場合は、専用の特殊工具がなくても、貫通孔１１の一方の開口部１２から棒材を挿入して押し込むことにより、ガイド部材５が固着された磁石２をスライドさせて貫通孔１１から簡単に押し出すことができる。磁石２を押し出した後は、磁石２を１本ずつ拭って付着した錆や汚れを除去することができメンテナンス性に優れる。
（５）ガイド部材５が磁石２に向かって縮径した傾斜部７を備えているので、他方のガイド部材５を開口部１２に押し込むときに、傾斜部７が貫通孔１１の開口部１２の縁に摺接して案内するため、他方のガイド部材５を開口部１２にスムーズに嵌挿させて磁石２を貫通孔１１の内側に配置させることができる。
（６）ガイド部材５が非磁性の材料で形成されているので、ガイド部材５を螺着等の機械的手段によって着脱自在にすることができ、メンテナンス時にはガイド部材５も磁石２から取り外して磁石２に付着した錆や汚れを除去することができメンテナンス性に優れる。
（７）磁石２に固着されたガイド部材５が磁化されないため、磁性材料で形成された貫通孔１１の開口部１２にガイド部材５が磁着せず、スムーズに挿入させることができる。
（８）貫通孔１１内に導入された流体は、磁石２の磁極の向きに関係なく、貫通孔１１毎に１本ずつ配置された磁石２の磁力により活性化されるので、複数の貫通孔１１を形成した場合でも、隣り合う貫通孔１１内に配置された磁石２の極性とは無関係に活性化させることができ、貫通孔１１の数を増加させるだけで許容流量を増やすことができ、大口径の配管等を流れる流体も活性化させることができる。
（９）筐体１０が磁性材料で形成されているので、筐体１０に形成された貫通孔１１の内壁が磁石２により磁化され、磁石２の磁束密度を飛躍的に増加させ高磁場を形成することができ、流体の活性処理効率を高めることができる。
（１０）配管２６の途中に配設される処理室２２に筐体１０が着脱自在に収装されているので、メンテナンス時には、処理室２２から筐体１０を取り出し、処理室２２から取り出した筐体１０から活性水用磁場形成具１を簡単に取り出すことができる。これにより、磁石２に付着した錆や汚れの洗浄や拭き取りも簡単に行うことができメンテナンス性に優れる。
（１１）処理室２２内に分配部３０が形成されているので、連通管２４から処理室２２の分配部３０に流入した流体が減速し、４つの貫通孔１１内に平均的に流体を導入することができるため、流体の磁化による活性化処理を確実に行うことができる。
（１２）貫通孔１１の内径が磁石２の外径より２〜１０ｍｍ程度大きめに形成されているので、磁石２の側面３と貫通孔１１の内壁との隙間を１〜５ｍｍ程度にすることができる。隙間の大きさによって流体流路３１の磁束密度や断面積を変えることができるため、磁化処理を行う流体の種類（一過水か循環水か）や流量に応じて、この隙間の大きさを適宜設定することができ汎用性に優れる。
【００３２】
ここで、本実施の形態においては、筐体１０に貫通孔１１が４つ格子状に設けられた場合について説明したが、貫通孔１１の数や配置を限定するものではなく、配管の径や流量等に応じて１乃至複数個の貫通孔を、数や配置を設定して筐体１０に自由に形成することができる。
また、貫通孔１１の軸心が配管２６の軸心と平行に形成された場合について説明したが、これに限定するものではなく、配管２６の軸心に対して１〜１０°程度傾斜させて筐体１０に形成する場合もある。これにより、流体の活性化処理効率を高めることができる。
また、ガイド部材５の傾斜部７の縁端が磁石２の端部の縁（側面３の縁）と当接している場合について説明したが、磁石２の端面４と当接しているもの、磁石２の端部側の側面３と当接しているものを用いる場合もある。これらの場合も同様の作用が得られる。
また、活性水用磁場形成具１の長さと貫通孔１１の長さとが略同一に形成された場合について説明したが、活性水用磁場形成具１を貫通孔１１の長さよりも短く形成する場合もある。この場合も同様の作用が得られるが、磁石２の長さを短くすると流体の活性化処理効率が低下する場合があるので、磁石２の長さは流体の流量等に応じて適宜設定される。
また、筐体１０に貫通孔１１が形成され、その貫通孔１１に活性水用磁場形成具１を嵌挿した場合について説明したが、既設や新設の配管の流路を貫通孔とすることもできる。
また、一体の筐体１０に貫通孔１１を形成した場合について説明したが、分割された筐体の断片に貫通孔や溝を形成し、該断片を組み合わせて筐体を組み立て、貫通孔を形成する場合もある。断片を組み合わせて筐体を組み立てることにより、大型の筐体も容易に製造することができるという作用が得られる。
また、流体の流速が速い場合や流体処理装置を傾斜面に配置する場合には、貫通孔１１に嵌挿された活性水用磁場形成具１が、流体の勢いや重力によって貫通孔１１から抜け出るおそれがある。そのため、貫通孔１１の下流側又は下側に位置する開口部１２が形成された筐体１０の端面に、ガイド部材５の縁端が当接するような板材等のストッパ部材を配設する場合もある。ストッパ部材は着脱可能に配設される。これにより、流体の勢いや重力によって貫通孔１１から活性水用磁場形成具１が抜け出るおそれがなく信頼性に優れる。
【００３３】
（実施の形態２）
図８は実施の形態２における活性水用磁場形成具の斜視図であり、図９（ａ）は実施の形態２における変形例の活性水用磁場形成具のガイド部材の傾斜部側からみた斜視図であり、（ｂ）は基部側からみた斜視図である。なお、実施の形態１で説明したものと同様のものは、同じ符号を付して説明を省略する。
図８において、１ａは本発明の実施の形態２における活性水用磁場形成具、２は磁石、３は磁石２の側面、５ａはアルミニウム合金，銅合金，チタン合金，インコネル，ステンレス鋼，高マンガン鋼，合成樹脂，無機材料等の非磁性の材料で形成されたガイド部材、６ａは筒状に形成され端部が磁石２の端部に当接した基部、７ａは基部６ａの周囲に放射状に突設され磁石２に向かって縮径した傾斜部であり、傾斜部７ａの一方の縁端は磁石２の側面３の縁と当接している。８ａは放射状に形成された傾斜部７ａ間に形成された連通部、９ａは基部６ａの中心に貫設され磁石２の端面に形成された図示しない螺子孔部に螺着されてガイド部材５ａを磁石２に固着する螺子部材である。
図９において、５ｂは非磁性の材料で形成されたガイド部材、６ｂは円錐状に形成され端部が磁石２の端部に当接する基部、７ｂは基部６ｂの周囲に十字状に突設され基部６ｂの端部（円錐状の底部）に向かって縮径した傾斜部、８ｂは傾斜部７ａ間に形成された連通部、９ｂは基部６ｂと一体に基部６ｂの端部の中心に突設され図示しない磁石２の端面に形成された螺子孔部に螺着されてガイド部材５ｂを磁石２に固着する螺子部である。
以上のように構成された本発明の実施の形態２における活性水用磁場形成具１ａ、変形例のガイド部材５ｂを用いた流体処理装置の製造方法は、実施の形態１で説明したものと同様なので、説明を省略する。
【００３４】
以上のように、本発明の実施の形態２における活性水用磁場形成具、変形例のガイド部材は構成されているので、実施の形態１に記載した作用に加え、以下のような作用が得られる。
（１）傾斜部７ａ，７ｂが放射状や十字状に形成されたことにより連通部８ａ，８ｂの断面積を大きくできるので、流体の圧損を小さくすることができる。
（２）螺子部９ｂが基部６ｂと一体に形成されているので、部品点数を少なくすることができるため製造工数を削減でき生産性に優れる。
【００３５】
（実施の形態３）
図１０は本発明の実施の形態３における流体処理装置の要部断面図であり、図１１は実施の形態３における流体処理装置の変形例の要部断面図である。なお、実施の形態１で説明したものと同様のものは、同じ符号を付して説明を省略する。
図１０において、４１は実施の形態３における流体処理装置、４２はチタン合金，インコネル，ステンレス鋼，高マンガン鋼，合成樹脂，無機材料の軽量で腐食の少ない材料で上面が開口した直方体の有底箱状に形成され底部に磁石２を４本収装した筐体１０が二つ並置された流体処理装置４１の処理室、４３は並置された筐体１０，１０の上に載置された磁石２が２本収装された筐体、４４は腐食され難い金属等で略直方体状に形成され筐体４３と処理室４２の内壁との間に載置されたブロック、４５は筐体１０，筐体４３，処理室４２の内壁との間に形成された空洞部である。
図１１において、４１ａは実施の形態３における変形例の流体処理装置、１０ａは貫通孔が縦方向に８個列設され各々の貫通孔に磁石２が収装された縦長の筐体であり、処理室４２に８個横方向に列設されている。
【００３６】
以上のように構成された本発明の実施の形態３における流体処理装置４１は、まず、実施の形態１で説明した活性水用磁場形成具１を筐体１０，４３の貫通孔に嵌挿することにより製造する。次いで、処理室４２に筐体１０，１０を並置し、その上に筐体３１とブロック４４を載置して製造することができる。
この流体処理装置４１は、クーリングタワー等の循環水が流れる配管に配設して、循環水を活性化ために用いることができる。処理室４２内に空洞部４５が形成されているので、流路の有効断面積を大きくすることができ、多量の流体を流すことができる。空洞部４５を流れる流体は磁化処理されないが、循環水を対象としているため、処理室４２を流体が循環するうちに次第に全ての循環水が磁化処理されることになる。
なお、本実施の形態においては、処理室４２内に３個の筐体１０，１０，４３を積み重ねた場合について説明したが、この組み合わせに限定するものではなく、流量や流速等に応じて適宜設計することができる。
【００３７】
また、以上のように構成された実施の形態３における変形例の流体処理装置４１ａは、縦長の筐体１０ａが処理室４２に８個横方向に列設されているので、メンテナンス等を行う場合、縦長の筐体１０ａは人力で持ち運びできる程度に軽量化できるとともに、８個の筐体１０ａのどれでも任意に処理室４２から取り出すことができるため、メンテナンス性に優れる。
【００３８】
（実施の形態４）
図１２は実施の形態４における流体処理装置の断面図である。なお、実施の形態１で説明したものと同様のものは、同じ符号を付して説明を省略する。
図中、５１は実施の形態４における流体処理装置、５２は一端が配管２６に接続し他端が処理室２２と連通した連通管である。連通管５２の流路の断面積は、連通管５２の一端から他端に向かって漸次広くなるように形成されている。
本実施の形態における流体処理装置は、実施の形態１で説明した流体処理装置（図６参照）のように分配部３０は形成されていないが、連通管５２の流路の断面積が処理室２２に向かって漸次広くなるように形成されているので、配管２６から処理室２２に向かって連通管５２を流れる流体を減速させることができる。
以上のように、本発明の実施の形態４における流体処理装置５１は構成されているので、実施の形態１に記載した作用に加え、以下のような作用が得られる。
（１）連通管５２の流路の断面積が処理室２２に向かって漸次広くなるように形成されているので、配管２６から連通管５２に流入した流体が減速し、４つの貫通孔１１内に平均的に流体を導入することができるため、流体の磁化による活性化処理を確実に行うことができる。
【００３９】
（実施の形態５）
図１３は実施の形態５における活性水用磁場形成具を貫通孔に挿入した状態を示す断面図である。なお、実施の形態１で説明したものと同様のものは、同じ符号を付して説明を省略する。
図中、６１は実施の形態５における活性水用磁場形成具、６２は磁石２の一端面に固着されたガイド部材、６３は磁石２の外径と同一の外径に形成され磁石２の端面４に当接されたガイド部材６２の基部、６４は基部６３に向かって縮径した円環状に形成され磁石２の側面３側に延設された傾斜部であり、傾斜部６４の一方の縁端は磁石２の側面３の縁と当接している。また、傾斜部６４の他方の縁端は貫通孔１１の内壁と当接している。６５はガイド部材６２の傾斜部６４を貫通して複数形成された連通部、６６は基部６３の中心に形成された孔部に挿通され磁石２の端面４に形成された螺子孔部４ａに螺着されて基部６３を磁石２に押止する螺子部材である。６７は磁石２の他端面に固着されたガイド部材、６８は傾斜部７の縁端が貫通孔１１の開口部１２の内径よりも大きく延設されて筐体１０の開口部１２に当接される抜け防止部である。
【００４０】
以上のように構成された本発明の実施の形態５における活性水用磁場形成具６１の製造方法は、実施の形態１で説明したものと同様なので説明を省略する。
活性水用磁場形成具６１を貫通孔１１に挿入する場合は、まず、ガイド部材６２を貫通孔１１の開口部１２に挿入した後、他方のガイド部材６７を手で押し込んで、ガイド部材６２を貫通孔１１内にスライドさせる。ガイド部材６２の最大外径が磁石２の外径より大きいので、磁石２は貫通孔１１の内壁に磁力で引き寄せられることなく、貫通孔１１と所定の間隔を維持したままスムーズに押し込まれていく。他方のガイド部材６７が開口部１２に達すると、傾斜部７が開口部１２の縁に摺接して案内されるため、他方のガイド部材６７も開口部１２にスムーズに嵌挿される。抜け防止部６８が筐体１０に当接するまでガイド部材６７を貫通孔１１に押し込み、磁石２を貫通孔１１の内側に配置させる。
【００４１】
以上のように、本発明の実施の形態５における流体処理装置６１は構成されているので、実施の形態１に記載した作用に加え、以下のような作用が得られる。
（１）ガイド部材６２が磁石２の側面３側に延設された傾斜部６４を有しているので、ガイド部材６２をスムーズに貫通孔１１に挿入させることができる。
（２）ガイド部材６７の傾斜部７の縁端に抜け防止部６８が形成されているので、流体がガイド部材６７側から流体流路３１内に導入されるように配管等に配置することで、流体の勢い等によって貫通孔１１から活性水用磁場形成具６１が抜け出るおそれがなく信頼性に優れる。
【００４２】
（実施の形態６）
図１４（ａ）は実施の形態６における活性水用磁場形成具を貫通孔に挿入した状態を示す右側面図であり、（ｂ）はＣ−Ｃ線における断面図である。なお、実施の形態１，実施の形態２で説明したものと同様のものは、同じ符号を付して説明を省略する。
図中、７１は実施の形態６における活性水用磁場形成具であり、磁石２の一端部に実施の形態２の変形例におけるガイド部材５ｂ（図９参照）が固着されている。７２は筐体１０の端面にボルト等により固着された非磁性の材料で板状に形成された筐体側ガイド部材、７３は筐体１０の貫通孔１１と同一の内径かつ同一の断面形状で筐体側ガイド部材に形成されたガイド部材貫通孔、７４はガイド部材貫通孔７３の内側の対称状の複数個所に突条に形成された突設部である。突設部７４は筐体１０側に向かって漸次高くなるようにテーパー状に形成されており、突設部７４の最大高さは、磁石２の側面３と貫通孔１１の壁面との隙間の大きさと同一になるように形成されている。また、突設部７４の幅は、ガイド部材５ｂの連通部８ｂより狭い幅で形成されている。即ち、ガイド部材貫通孔７３内に挿入された磁石２は、ガイド部材貫通孔７３の内周部と間隔をあけて突設部７４の先端で支持される。
【００４３】
以上のように構成された本発明の実施の形態６における活性水用磁場形成具７１の製造方法は、実施の形態１で説明したものと同様なので説明を省略する。
活性水用磁場形成具７１を貫通孔１１に挿入する場合は、まず、筐体側ガイド部材７２の突設部７４がガイド部材５ｂの傾斜部７ｂの間の連通部８ｂに入るように位置を整え、ガイド部材５ｂを筐体側ガイド部材７２のガイド部材貫通孔７３に挿入する。磁石２を手で押し込んで、ガイド部材５ｂを貫通孔１１内にスライドさせる。ガイド部材５ｂがあるため、磁石２は貫通孔１１の内壁に磁力で引き寄せられることなく、貫通孔１１と所定の間隔を維持したままスムーズに押し込まれていく。磁石２の側面３は筐体側ガイド部材７２の突設部７４で支持され、貫通孔１１の内壁と間隔をあけて貫通孔１１内に配置される。
【００４４】
以上のように、本発明の実施の形態６における流体処理装置６１は構成されているので、実施の形態１に記載した作用に加え、以下のような作用が得られる。
（１）ガイド部材貫通孔７３が形成された筐体側ガイド部材７２が筐体１０の端面に固着されており、筐体側ガイド部材７２には貫通孔１１と同一形状で同一内径のガイド部材貫通孔７３が形成され、ガイド部材貫通孔７３の内周部には突設部７４が形成されているので、ガイド部材５ｂが一端部に固着された磁石２を、貫通孔１１内に同心状に配置させることができる。
【００４５】
なお、本実施の形態においては、突設部７４が形成された筐体側ガイド部材７２を用いて磁石２を配置する場合について説明したが、筐体側ガイド部材７２を用いずに、非磁性の材料で溝が形成されたリング状の間隔保持部材を、磁石２の側面３に嵌める場合もある。間隔保持部材を、磁石２の側面３と貫通孔１１の内壁との隙間の大きさに相当する厚さに形成することにより、間隔保持部材に形成された溝の間に流体を流すことができる。この場合も、実施の形態６と同様の作用が得られる。
【産業上の利用可能性】
【００４６】
本発明は、流体を磁界の中に通過させて流体を活性化処理するための活性水用磁場形成具及びそれを用いた流体処理装置に関し、磁場の強さに斑がなく均一に高磁場を形成でき、また磁石の磁極の向きに関係なく流体を活性化させることができ、磁石の向きを確認しながら組み立てる必要がなく組立作業性に優れ、また磁石の方向違いに起因する不良品の発生が一切無く高い製品得率で生産でき、さらに専用の特殊工具がなくても、極めて容易に磁石を取り出すことができ１本ずつの磁石を拭って付着した錆や汚れを除去することができメンテナンス性に優れる活性水用磁場形成具を提供することができ、また、磁石の方向違いに起因する不良品の発生が一切無く高い製品得率で生産でき、また磁石の挿脱が極めて容易で組立作業性やメンテナンス性に優れ、さらに許容流量を簡単に増やすことができ、大口径の配管等を流れる流体も活性化させることができる自在性に優れる流体処理装置を提供することができる。
【図面の簡単な説明】
【００４７】
【図１】（ａ）実施の形態１における活性水用磁場形成具の分解斜視図  （ｂ）活性水用磁場形成具の斜視図
【図２】活性水用磁場形成具の要部断面図
【図３】実施の形態１における流体処理装置の筐体の斜視図
【図４】筐体に活性水用磁場形成具を収装した状態を示す斜視図
【図５】流体処理装置の平面図
【図６】図５のＡ−Ａ線における断面図
【図７】図５のＢ−Ｂ線における断面図
【図８】実施の形態２における活性水用磁場形成具の斜視図
【図９】（ａ）実施の形態２における変形例の活性水用磁場形成具のガイド部材の傾斜部側からみた斜視図  （ｂ）基部側からみた斜視図
【図１０】実施の形態３における流体処理装置の要部断面図
【図１１】実施の形態３における変形例の流体処理装置の要部断面図
【図１２】実施の形態４における流体処理装置の断面図
【図１３】実施の形態５における活性水用磁場形成具を貫通孔に挿入した状態を示す断面図
【図１４】（ａ）実施の形態６における活性水用磁場形成具を貫通孔に挿入した状態を示す右側面図  （ｂ）Ｃ−Ｃ線における断面図
【符号の説明】
【００４８】
１，１ａ  活性水用磁場形成具
２  磁石
３  側面
４  端面
４ａ  螺子孔部
５，５ｂ  ガイド部材
６，６ａ，６ｂ  基部
７，７ａ，７ｂ  傾斜部
８，８ａ，８ｂ  連通部
９  孔部
９ａ  螺子部材
９ｂ  螺子部
１０，１０ａ  筐体
１１  貫通孔
１２  開口部
１３  螺子孔部
２１  流体処理装置
２２  処理室
２３  開口部
２３ａ  螺子孔
２３ｂ  吊設部材
２４  連通管
２５，２７  フランジ
２６  配管
２８  底部
２９  当接部
３０  分配部
３１  流体流路
４１，４１ａ  流体処理装置
４２  処理室
４３  筐体
４４  ブロック
４５  空洞部
５１  流体処理装置
５２  連通管
６１  活性水用磁場形成具
６２  ガイド部材
６３  基部
６４  傾斜部
６５  連通部
６６  螺子部材
６７  ガイド部材
６８  抜け防止部
７１  活性水用磁場形成具
７２  筐体側ガイド部材
７３  ガイド部材貫通孔
７４  突設部
【図１】
2008272685.tif 000003
【図２】
2008272685.tif 000004
【図３】
2008272685.tif 000005
【図４】
2008272685.tif 000006
【図５】
2008272685.tif 000007
【図６】
2008272685.tif 000008
【図７】
2008272685.tif 000009
【図８】
2008272685.tif 000010
【図９】
2008272685.tif 000011
【図１０】
2008272685.tif 000012
【図１１】
2008272685.tif 000013
【図１２】
2008272685.tif 000014
【図１３】
2008272685.tif 000015
【図１４】
2008272685.tif 000016
【手続補正書】
【提出日】平成20年2月29日(2008.2.29)
【手続補正１】
【補正対象書類名】特許請求の範囲
【補正対象項目名】請求項１
【補正方法】変更
【補正の内容】
【請求項１】
貫通孔内に流体の流路を形成する活性水用磁場形成具であって、
前記貫通孔の内壁と所定の間隔をあけて配設され前記内壁と側面との間に流体流路が形成される棒状の磁石と、最大の外径が前記貫通孔の両端の開口部の内径より小さめに形成され前記磁石の一端部又は両端部に固着され前記貫通孔の内側に嵌挿されるガイド部材と、前記ガイド部材に形成され前記流体流路と連通する連通部と、を備えていることを特徴とする活性水用磁場形成具。
【手続補正２】
【補正対象書類名】明細書
【補正対象項目名】０００５
【補正方法】変更
【補正の内容】
【０００５】
上記従来の課題を解決するために本発明の活性水用磁場形成具及びそれを用いた流体処理装置は、以下の構成を有している。
本発明の請求項１に記載の発明は、貫通孔内に流体の流路を形成する活性水用磁場形成具であって、前記貫通孔の内壁と所定の間隔をあけて配設され前記内壁と側面との間に流体流路が形成される棒状の磁石と、最大の外径が前記貫通孔の両端の開口部の内径より小さめに形成され前記磁石の一端部又は両端部に固着され前記貫通孔の内側に嵌挿されるガイド部材と、前記ガイド部材に形成され前記流体流路と連通する連通部と、を備えた構成を有している。
この構成により、以下のような作用が得られる。
（１）貫通孔の内壁と所定の間隔をあけて配設される棒状の磁石と、磁石の一端部又は両端部に固着され貫通孔の内側に嵌挿されるガイド部材と、ガイド部材に形成された連通部と、を備えているので、水等の流体が連通部から貫通孔の内壁と磁石の側面との間に形成される流体流路に導入され、貫通孔毎に１本ずつ配置された磁石の磁力により流体流路に均一な高磁場が形成されるので、流体を確実に活性化させることができ安定性に優れる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる。
（３）貫通孔の内壁と所定の間隔をあけて配設される棒状の磁石と、最大の外径が貫通孔の両端の開口部の内径より小さめに形成され磁石の一端部又は両端部に固着され貫通孔の内側に嵌挿されるガイド部材と、を備えているので、貫通孔内に磁石を配置する場合に、磁石に固着されたガイド部材を貫通孔の一方の開口部から挿入し反対側を手で押し込むことにより、磁石を貫通孔の内壁に磁着させることなくガイド部材をスライドさせて、貫通孔と所定の間隔をあけて磁石を挿入させることができ組立作業性に優れる。
（４）貫通孔から磁石を取り出す場合は、専用の特殊工具がなくても、貫通孔の一方の開口部から棒材を挿入して押し込むことにより、ガイド部材が固着された磁石をスライドさせて貫通孔から簡単に押し出すことができる。磁石を押し出した後は、磁石を１本ずつ拭って磁石に付着した錆や汚れを除去することができメンテナンス性に優れる。
【手続補正３】
【補正対象書類名】明細書
【補正対象項目名】００４８
【補正方法】変更
【補正の内容】
【００４８】
１，１ａ  活性水用磁場形成具
２  磁石
３  側面
４  端面
４ａ  螺子孔部
５，５ａ，５ｂ  ガイド部材
６，６ａ，６ｂ  基部
７，７ａ，７ｂ  傾斜部
８，８ａ，８ｂ  連通部
９  孔部
９ａ  螺子部材
９ｂ  螺子部
１０，１０ａ  筐体
１１  貫通孔
１２  開口部
１３  螺子孔部
２１  流体処理装置
２２  処理室
２３  開口部
２３ａ  螺子孔
２３ｂ  吊設部材
２４  連通管
２５，２７  フランジ
２６  配管
２８  底部
２９  当接部
３０  分配部
３１  流体流路
４１，４１ａ  流体処理装置
４２  処理室
４３  筐体
４４  ブロック
４５  空洞部
５１  流体処理装置
５２  連通管
６１  活性水用磁場形成具
６２  ガイド部材
６３  基部
６４  傾斜部
６５  連通部
６６  螺子部材
６７  ガイド部材
６８  抜け防止部
７１  活性水用磁場形成具
７２  筐体側ガイド部材
７３  ガイド部材貫通孔
７４  突設部
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
貫通孔内に流体の流路を形成する活性水用磁場形成具であって、
前記貫通孔の内壁と所定の間隔をあけて配設され前記内壁と側面との間に流体流路が形成される棒状の磁石と、最大の外径が前記貫通孔の両端の開口部の内径より小さめに形成され前記磁石の一端部又は両端部に固着され前記貫通孔の内側に嵌挿されるガイド部材と、前記ガイド部材に形成され前記流体流路と連通する連通部と、を有し、
前記ガイド部材が、前記磁石に向かって縮径した傾斜部を備えていることを特徴とする活性水用磁場形成具。
【請求項２】
前記ガイド部材が非磁性の材料で形成されていることを特徴とする請求項１に記載の活性水用磁場形成具。
【請求項３】
一乃至複数の貫通孔が形成された筐体と、前記筐体の前記貫通孔に内挿された請求項１又は２に記載の活性水用磁場形成具と、を備えていることを特徴とする流体処理装置。
【請求項４】
前記筐体が、磁性材料で形成されていることを特徴とする請求項３に記載の流体処理装置。
【請求項５】
配管の途中に配設され前記筐体が着脱自在に収装される処理室を備えていることを特徴とする請求項３又は４に記載の流体処理装置。
【手続補正２】
【補正対象書類名】明細書
【補正対象項目名】０００５
【補正方法】変更
【補正の内容】
【０００５】
上記従来の課題を解決するために本発明の活性水用磁場形成具及びそれを用いた流体処理装置は、以下の構成を有している。
本発明の請求項１に記載の発明は、貫通孔内に流体の流路を形成する活性水用磁場形成具であって、前記貫通孔の内壁と所定の間隔をあけて配設され前記内壁と側面との間に流体流路が形成される棒状の磁石と、最大の外径が前記貫通孔の両端の開口部の内径より小さめに形成され前記磁石の一端部又は両端部に固着され前記貫通孔の内側に嵌挿されるガイド部材と、前記ガイド部材に形成され前記流体流路と連通する連通部と、を有し、前記ガイド部材が、前記磁石に向かって縮径した傾斜部を備えた構成を有している。
この構成により、以下のような作用が得られる。
（１）貫通孔の内壁と所定の間隔をあけて配設される棒状の磁石と、磁石の一端部又は両端部に固着され貫通孔の内側に嵌挿されるガイド部材と、ガイド部材に形成された連通部と、を備えているので、水等の流体が連通部から貫通孔の内壁と磁石の側面との間に形成される流体流路に導入され、貫通孔毎に１本ずつ配置された磁石の磁力により流体流路に均一な高磁場が形成されるので、流体を確実に活性化させることができ安定性に優れる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる。
（３）貫通孔の内壁と所定の間隔をあけて配設される棒状の磁石と、最大の外径が貫通孔の両端の開口部の内径より小さめに形成され磁石の一端部又は両端部に固着され貫通孔の内側に嵌挿されるガイド部材と、を備えているので、貫通孔内に磁石を配置する場合に、磁石に固着されたガイド部材を貫通孔の一方の開口部から挿入し反対側を手で押し込むことにより、磁石を貫通孔の内壁に磁着させることなくガイド部材をスライドさせて、貫通孔と所定の間隔をあけて磁石を挿入させることができ組立作業性に優れる。
（４）貫通孔から磁石を取り出す場合は、専用の特殊工具がなくても、貫通孔の一方の開口部から棒材を挿入して押し込むことにより、ガイド部材が固着された磁石をスライドさせて貫通孔から簡単に押し出すことができる。磁石を押し出した後は、磁石を１本ずつ拭って磁石に付着した錆や汚れを除去することができメンテナンス性に優れる。
（５）磁石の一端側を貫通孔の一方の開口部から挿入し、磁石の他端側に固着されたガイド部材を手で押し込むことで貫通孔内に磁石を配置させることができるが、ガイド部材が磁石に向かって縮径した傾斜部を備えているので、ガイド部材を開口部に押し込むときに傾斜部が貫通孔の開口部の縁に摺接して案内するため、ガイド部材を開口部にスムーズに嵌挿させて磁石を貫通孔の内側に配置させることができる。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】変更
【補正の内容】
【００１２】
本発明の請求項２に記載の発明は、請求項１に記載の活性水用磁場形成具であって、前記ガイド部材が非磁性の材料で形成された構成を有している。
この構成により、請求項１で得られる作用に加え、以下のような作用が得られる。
（１）ガイド部材が非磁性の材料で形成されているので、ガイド部材を螺着等の機械的手段によって着脱自在にすることができ、メンテナンス時にはガイド部材も磁石から取り外して磁石に付着した錆や汚れを除去することができメンテナンス性に優れる。
（２）磁石に固着されたガイド部材が磁化されないため、貫通孔が磁性材料で形成されていた場合でも、磁石が固着されたガイド部材を貫通孔の開口部にスムーズに挿入させることができる。
【手続補正５】
【補正対象書類名】明細書
【補正対象項目名】００１４
【補正方法】変更
【補正の内容】
【００１４】
本発明の請求項３に記載の流体処理装置は、一乃至複数の貫通孔が形成された筐体と、前記筐体の前記貫通孔に内挿された請求項１又は２に記載の活性水用磁場形成具と、を備えた構成を有している。
この構成により、以下のような作用が得られる。
（１）貫通孔が形成された筐体と、貫通孔に内挿された活性水用磁場形成具と、を備えているので、水等の流体が貫通孔内に形成された流体流路に導入され、貫通孔毎に１本ずつ配置された磁石の磁力により流体を確実に活性化させることができ安定性に優れる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる。
（３）貫通孔内に導入された流体は、磁石の磁極の向きに関係なく、貫通孔毎に１本ずつ配置された磁石の磁力により活性化されるので、格子点上や細密状に複数の貫通孔を形成した場合でも、隣り合う貫通孔内に配置された磁石の極性とは無関係に活性化させることができる。このため、貫通孔の数を増加させるだけで許容流量を増やすことができ、大口径の配管等を流れる流体も圧損なく活性化させることができる。
（４）筐体に形成された貫通孔からの流体処理装置の挿脱が容易なため、組立作業性に優れるとともにメンテナンス性にも優れる。
【手続補正６】
【補正対象書類名】明細書
【補正対象項目名】００１６
【補正方法】変更
【補正の内容】
【００１６】
本発明の請求項４に記載の発明は、請求項３に記載の流体処理装置であって、前記筐体が、磁性材料で形成された構成を有している。
この構成により、請求項３で得られる作用に加え、以下のような作用が得られる。
（１）筐体が磁性材料で形成されているので、筐体に形成された貫通孔の内壁が磁化され磁石の磁束密度を飛躍的に増加させ高磁場を形成することができ、流体の活性処理効率を高めることができる。
【手続補正７】
【補正対象書類名】明細書
【補正対象項目名】００１８
【補正方法】変更
【補正の内容】
【００１８】
本発明の請求項５に記載の発明は、請求項３又は４に記載の流体処理装置であって、配管の途中に配設され前記筐体が着脱自在に収装される処理室を備えた構成を有している。
この構成により、請求項３又は４で得られる作用に加え、以下のような作用が得られる。
（１）配管の途中に配設される処理室に筐体が着脱自在に収装されているので、メンテナンス時には、処理室から筐体を処理室の外に取り出し、処理室から取り出した筐体から活性水用磁場形成具を簡単に取り出すことができる。これにより、磁石に付着した錆や汚れの洗浄や拭き取りも簡単に行うことができメンテナンス性に優れる。
【手続補正８】
【補正対象書類名】明細書
【補正対象項目名】００２０
【補正方法】変更
【補正の内容】
【００２０】
以上のように、本発明の活性水用磁場形成具及びそれを用いた流体処理装置によれば、以下のような有利な効果が得られる。
請求項１に記載の発明によれば、
（１）水等の流体が連通部から貫通孔の内壁と磁石の側面との間に形成される流体流路に導入され、貫通孔毎に１本ずつ配置された磁石の磁力により流体流路に均一な高磁場が形成されるので、流体を確実に活性化させることができ安定性に優れた活性水用磁場形成具を提供できる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる活性水用磁場形成具を提供できる。
（３）貫通孔内に磁石を配置する場合に、磁石に固着されたガイド部材を貫通孔の一方の開口部から挿入し反対側を手で押し込むことにより、磁石を貫通孔の内壁に磁着させることなくガイド部材をスライドさせて、貫通孔と所定の間隔をあけて磁石を挿入させることができ組立作業性に優れた活性水用磁場形成具を提供できる。
（４）貫通孔から磁石を取り出す場合は、専用の特殊工具がなくても、貫通孔の一方の開口部から棒材を挿入して押し込むことにより、ガイド部材が固着された磁石をスライドさせて貫通孔から簡単に押し出すことができ、磁石を押し出した後は、磁石を１本ずつ拭って磁石に付着した錆や汚れを除去することができメンテナンス性に優れた活性水用磁場形成具を提供できる。
（５）ガイド部材を貫通孔内に押し込んで磁石を配置させる場合、ガイド部材が磁石に向かって縮径した傾斜部を備えているので、ガイド部材を開口部に押し込むときに傾斜部が貫通孔の開口部の縁に摺接して案内するため、ガイド部材を開口部にスムーズに嵌挿させて磁石を貫通孔の内側に配置させることができる作業性に優れた活性水用磁場形成具を提供できる。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
請求項２に記載の発明によれば、請求項１の効果に加え、
（１）ガイド部材が非磁性の材料で形成されているので、ガイド部材を螺着等の機械的手段によって着脱自在にすることができ、メンテナンス時にはガイド部材も磁石から取り外して磁石に付着した錆や汚れを除去することができメンテナンス性に優れた活性水用磁場形成具を提供できる。
（２）磁石に固着されたガイド部材が磁化されないため、貫通孔が磁性材料で形成されていた場合でも、磁石が固着されたガイド部材を貫通孔の開口部にスムーズに挿入させることができる活性水用磁場形成具を提供できる。
【手続補正１１】
【補正対象書類名】明細書
【補正対象項目名】００２３
【補正方法】変更
【補正の内容】
【００２３】
請求項３に記載の発明によれば、
（１）貫通孔が形成された筐体と、貫通孔に内挿された活性水用磁場形成具と、を備えているので、水等の流体が貫通孔内に形成された流体流路に導入され、貫通孔毎に１本ずつ配置された磁石の磁力により流体を確実に活性化させることができ安定性に優れた流体処理装置を提供できる。
（２）磁石の磁極の向きに関係なく、貫通孔毎に１本ずつ配置された磁石の磁力により流体が活性化されるので、磁石の向きを確認しながら組み立てる必要がなく組立作業性に優れ、また磁石の向きを間違えたことに起因する不良品の発生は一切無いため、高い製品得率で生産できる流体処理装置を提供できる。
（３）貫通孔内に導入された流体は、磁石の磁極の向きに関係なく、貫通孔毎に１本ずつ配置された磁石の磁力により活性化されるので、格子点上や細密状に複数の貫通孔を形成した場合でも、隣り合う貫通孔内に配置された磁石の極性とは無関係に活性化させることができる。このため、貫通孔の数を増加させるだけで許容流量を増やすことができ、大口径の配管等を流れる流体も活性化させることができる自在性に優れた流体処理装置を提供できる。
（４）筐体に形成された貫通孔からの流体処理装置の挿脱が容易なため、組立作業性に優れるとともにメンテナンス性にも優れた流体処理装置を提供できる。
【手続補正１２】
【補正対象書類名】明細書
【補正対象項目名】００２４
【補正方法】変更
【補正の内容】
【００２４】
請求項４に記載の発明によれば、請求項３の効果に加え、
（１）筐体が磁性材料で形成されているので、筐体に形成された貫通孔の内壁が磁化され磁石の磁束密度を飛躍的に増加させ高磁場を形成することができ、活性処理効率の高い流体処理装置を提供できる。
【手続補正１３】
【補正対象書類名】明細書
【補正対象項目名】００２５
【補正方法】変更
【補正の内容】
【００２５】
請求項５に記載の発明によれば、請求項３又は４の効果に加え、
（１）配管の途中に配設される処理室に筐体が着脱自在に収装されているので、メンテナンス時には、処理室から筐体を処理室の外に取り出し、処理室から取り出した筐体から活性水用磁場形成具を簡単に取り出すことができる。これにより、磁石に付着した錆や汚れの洗浄や拭き取りも簡単に行うことができメンテナンス性に優れた流体処理装置を提供できる。